Podtech/llm-jp-corpus-v4-ja_patent huggingface dataset:
(57)【要約】      （修正有）【課題】一般には朝顔を簡単な棒等で網や紐を支えツルをはわせているが、台風等強風時にツルを降ろすのと  復旧するのに手間が掛かっていました。又  シーズンオフ時に長い棒等狭いバルコニーでは  保管場所に困る場合が有りました。【解決手段】朝顔のツルをはわす網を支える枠を安定させるために  プランタを下梁枠に載せて重しの役も兼ね、枠を分解すると長さ９０ｃｍ以下にし、持ち運びや保管に便利に、強風時には朝顔をいためなく  左右の柱を途中から取外し  強風がおさまると  左右の柱を元通りにさし込む、簡単に枠の高さを低く出来  又  朝顔もいためずに復元できる。【選択図】図３
0003126513.tif 000002
【実用新案登録請求の範囲】
【請求項１】
強風対策での柱を取外し取り付け可能
【請求項２】
歪防止の特殊ワッシャー
【考案の詳細な説明】
【技術分野】
【０００１】朝顔による夏の日差しを和らげ  気温を下げる。
【背景技術】
【０００２】植物生態の気化熱と日差し遮断での温度を下げる効果を利用。
【考案の開示】
【考案が解決しようとする課題】
【０００３】強風での転倒で器物損壊及び飛散【０００４】気候，風，による変形
【課題を解決するための手段】
【０００５】強風の場合  柱を途中から外し  高さを１ｍ以下に低くする。【０００６】特殊ワッシャーで組み立てる事により簡単に決められた位置方向に接合部を固定する。
【考案の効果】
【０００７】台風到来時  柱を途中より取り外し高さ約１ｍ程度にし  被害を避け、つなぎ合わせると元通り。【０００８】特殊ワッシャーで変形防止  簡単でボルトナットの節約。
【考案を実施するための最良の形態】
【０００９】低中層マンションで  日の良く当る西向きのバルコニーに朝顔すだれを使用、夕方の強烈な日差しを避ける事が出来、クーラーの外機が朝顔すだれの影、位置であれば  冷房効果も向上する。
【実施例】
【００１０】マンション四階  西向きバルコニーで使用  毎日ペットボトル最大２本（４Ｌ）を給水する。４Ｌの水を蒸発させる気化熱効果と朝顔の葉やツルでの日光の遮断で気温が相当に下がります。
【産業上の利用可能性】
【００１１】家庭、病院、学校、介護施設。
【図面の簡単な説明】
【００１２】
【図１】組立完成の全体図
【図２】柱取り付け、取り外し、さし込み部分図
【図３】枠固定のための、特殊ワッシャー
【符号の説明】
【００１３】１  柱さし込み部分
２  接合部分
３  特殊ワッシャーボルト孔
４  特殊ワッシャーの固定ピン
【図１】
0003126513.tif 000003
【図２】
0003126513.tif 000004
【図３】
0003126513.tif 000005
【手続補正書】
【提出日】平成18年8月1日(2006.8.1)
【手続補正１】
【補正対象書類名】実用新案登録請求の範囲
【補正対象項目名】全文
【補正方法】変更
【補正の内容】
【実用新案登録請求の範囲】
【請求項１】
柱は  細長の鋼鈑を長方向に直角に折り曲げた同じ形状の２本の鋼鈑を口の字型に合わせ  一定のピッチで溶接箇所となる位置に半円の切欠けを施し  溶接し出来た角パイプで  つなぎ合わせる場合  正方形でなく  一辺が微妙に長短が出来  又  折り曲げた丸い角と  溶接した９０度の角となり  角パイプの向きが  同じでないと  差し込めない形状の柱となっている  朝顔すだれ。
【請求項２】
歪防止の特殊ワッシャーは  ボルトを通す孔とワッシャーに溶接付けされたピンから成っている  このワッシャー使用の  請求項１に記載の  朝顔すだれ。
【手続補正２】
【補正対象書類名】明細書
【補正対象項目名】全文
【補正方法】変更
【補正の内容】
【考案の詳細な説明】
【技術分野】
【０００１】朝顔による夏の日差しを植物生態の気化熱と葉やツル等で遮断による気温を下げる効果を利用。
【背景技術】
【０００２】朝顔のツルをはわすネットを支える  枠が必要。  枠の条件  耐候性、組立が簡単なこと  出来るだけ細く丈夫な事  柱を低く出来る事。
【考案の開示】
【考案を解決しようとする課題】
【０００３】強風での転倒で器物損壊及び飛散
【０００４】気候、風、による変形
【課題を解決するための手段】
【０００５】強風の場合  柱を途中から外し  高さ１ｍ以下に低くする。
【０００６】特殊ワッシャーで組み立てる事により簡単に決められた位置方向に接合部を固定する。
【考案の効果】
【０００７】台風到来時  柱の途中より取り外し高さ約１ｍ程度にし  被害を避け  朝顔を傷めず  つな合わせると元通り。
【０００８】特殊ワッシャーで変形防止  簡単でボルトナットの節約。
【考案を実施するための最良の形態】
【０００９】低中層マンションで  日の良く当たる西向きのバルコニーに朝顔すだれを使用  夕方の強烈な日差しを避ける事が出来  クーラーの室外機が朝顔すだれの  陰位置であれば  冷房効果は向上する。
【実施例】
【００１０】マンション四階  西向きバルコニーで使用  毎日ペットボトル最大２本（４Ｌ）を給水する。  ４Ｌの水を蒸発させる気化熱効果と朝顔の葉やツルでの日光の遮断で気温が相当に下がる。
【産業上の利用可能性】
【００１１】家庭、病院、学校、介護施設。
【図面の簡単な説明】
【００１２】
【図１】柱取り付け、取り外し、差込部分図
【図２】枠固定のための  特殊ワッシャー図
【図３】組立完成の全体図
【符号の説明】
【００１３】  １  柱さし込み部分
２  特殊ワッシャー使用  接合部分
３  特殊ワッシャーの  ボルト孔
４  特殊ワッシャーの  固定ピン
５  固定ピンの  溶接付
６  柱の断面
７  柱サヤの  断面
８  アングル形状の物を角パイプにする溶接箇所の切り欠け
９  ボルト・ナット使用接合部
１０  園芸用ネット
１１  プランター
【手続補正３】
【補正対象書類名】図面
【補正対象項目名】全図
【補正方法】変更
【補正の内容】
【図１】
0003126513.tif 000006
【図２】
0003126513.tif 000007
【図３】
0003126513.tif 000008
(57)【要約】      （修正有）【課題】大量生産ができる目玉焼き器の提供。【解決手段】１個１０ｃｍ、型枠は直径１２ｃｍにし、深さ２ｃｍの落とし込み、凹型の型枠を造り、この型枠は、ゆるやかなカーブに、なっており、へらで目玉焼きを取り出して、大量生産できる、目玉焼き器。【選択図】図１
0003126514.tif 000002
【実用新案登録請求の範囲】
【請求項１】
※目玉焼の大量生産
0003126514.tif 000006
タイ焼き等露店で、販売している物の
0003126514.tif 000007
等でみな様に、食べて頂きたい（たまに）と思います
【請求項２】
【考案の詳細な説明】
【技術分野】
【０００１】
0003126514.tif 000003
【背景技術】
【０００２】今迄になかったから、（タイ焼・タコ焼き等）
【考案の開示】
【考案が解決しようとする課題】
【０００３】病院・施設等で、おいしくたまには食べて頂きたい為
【課題を解決するための手段】
【０００４】３〜６分位、卵をそれぞれの型枠に一つずつわって、焼く。
【考案の効果】
【０００５】早く、大量生産ができ、食べる時もよろこんでもらえる。
【考案を実施するための最良の形態】
【０００６】目玉焼を食べる時に使う
【実施例】
【０００７】タコ焼き、タイ焼き
【産業上の利用可能性】
【０００８】病院や施設に役に立つと思われます。
【図面の簡単な説明】
【０００９】
【図１】
0003126514.tif 000004
【図２】
0003126514.tif 000005
【符号の説明】
【】
【図１】
0003126514.tif 000008
【図２】
0003126514.tif 000009
【手続補正書】
【提出日】平成18年7月21日(2006.7.21)
【手続補正１】
【補正対象書類名】実用新案登録請求の範囲
【補正対象項目名】全文
【補正方法】変更
【補正の内容】
【実用新案登録請求の範囲】
【請求項１】
目玉焼き器
１個１０ｃｍ、型枠は直径１２ｃｍにし、深さ２ｃｍの落とし込み、凹型の型枠を造り、この型枠は、ゆるやかなカーブに、なっており、へらで目玉焼きを取り出して、大量生産できる、目玉焼き器。
(57)【要約】【課題】  本考案は、社会生活に欠くことの出来ない履物が原因となる足指の筋力低下から発生する足裏の変形（外反母趾、指上げ、タコ、マメ）が及ぼすＯ脚や猫背、側湾症など、多くの悪影響を無理なく予防、改善することができるウォーキングマシンを提供することを目的とする。【解決手段】  この目的を達成するために本考案が提供するウォーキングマシンは、回転ベルトの表面に大きさと形状の異なる突起を一様に分散配置したことを特徴とするものである。【選択図】図２
0003126508.tif 000002
【実用新案登録請求の範囲】
【請求項１】
回転ゴムベルトの表面に大きさと形状の異なる突起を一様に分散配置したことを特徴とするウォーキングマシン。
【考案の詳細な説明】
【技術分野】
【０００１】  本考案は回転ベルトを改良したウォーキングマシンに関するものである。
【背景技術】
【０００２】  従来のウォーキングマシンは、運動負荷を掛ける事で、体力向上を図るものである。
【考案が解決しようとする課題】
【０００３】  しかしながら、体力向上を目指す多くの人の中には、すでに足裏が変形し、その影響から骨格を歪ませ、間接炎等の症状を持ったまま負荷を掛けることで、その症状をより悪化させることになっている現実がある。
【０００４】  幼児の足にも外反母趾や指上げが多く見られ、基礎体力低下や免疫力の低下が見られる。
【０００５】  スポーツの分野でも、足裏の形状と能力は正比例し、ケニアなど幼児期裸足で生活している国の選手達は骨格変形を見せず、能力を十分に発揮し優秀な成績を収める事ができるが、残念ながら日本人選手にはアンバランスが多く見られる。
【０００６】  美容面でも、アンバランスは不必要な筋肉を育て、下半身太り、肥満、血行不良を起こし、冷え性、便秘、皮膚疾患などに連鎖して行くことになる。
【０００７】  血行不良が多くの病気を引き起こすことは承知の事実、心臓との距離が遠く離れた足裏の血行を滞りなく流す事、免疫力を高める事が全てに優先されるべきである。
【０００８】  足裏（土台）に異常（外反母趾、指上げ、タコ、マメ、傷）等があると、上部の間接はアンバランスを補う為変形を始め、時間の経過と共にＯ脚や猫背、側湾症、顎間接症といった症状に変わって行き、慢性痛や、内臓疾患等に連鎖するのである。
【０００９】  本考案は、上記に鑑みてなされたものであり、社会生活に欠くことの出来ない履物が原因となる足指の筋力低下から発生する足裏の変形（外反母趾、指上げ、タコ、マメ）が及ぼすＯ脚や猫背、側湾症など、多くの悪影響を無理なく予防、改善することができるウォーキングマシンを提供することを目的とする。
【課題を解決するための手段】
【００１０】  この目的を達成するために本考案が提供するウォーキングマシンは、回転ベルトの表面に大きさと形状の異なる突起を一様に分散配置したことを特徴とするものである。
【考案の効果】
【００１１】  本考案によれば、回転ベルトの表面を大きさと形状の異なる突起を一様に分散配置した面としたので、回転ベルトの上を素足で歩くと、前記突起が足裏の全指に作用して足指の筋力が回復し、正常なバランスが保たれ、その結果、血行促進及び足裏の変形が矯正され、Ｏ脚や猫背、側湾症等多くの弊害が改善できる。
【考案の実施するための最良の形態】
【実施例】
【００１２】  実施例のウォーキングマシンは回転歩行面に型取り成型した考案の大きさと形状の異なる突起３を配した回転ゴムベルト１を使用したものである。２はベルト駆動輪である。【００１３】  図１は、実施例の要部側面図で、図２は、図１の斜視図である。
【産業上の利用可能性】
【００１４】  履物文化が人間の足裏を不健全に変形し、骨格を歪める、健康面、美容面、運動能力面子供の健全育成等全ての分野で利用されるべきである。
【図面の簡単な説明】
【００１５】
【図１】  この考案の実施例の要部側面図。
【図２】  この考案の実施例の要部斜視図。
【符号の説明】
１  回転ベルト
２  ベルト駆動輪
３  突起
【図１】
0003126508.tif 000003
【図２】
0003126508.tif 000004
(57)【要約】【課題】  震災時に身をかくせるようにする。【解決手段】  押し入れの下段に丁度設置できる大きさの、鋼材製横長の長方体のアングル材を軸とした組立構造になっているシェルターである。【選択図】図１
0003126506.tif 000002
【実用新案登録請求の範囲】
【請求項１】
押入れの下段に丁度設置出来る大きさの軸組の構造の箱であって、各軸が鋼材等の金属材で構成されていることを特徴とする押し入れ用避難箱。
【考案の詳細な説明】
【技術分野】
【０００１】  本考案は、地震災害の折、押し入れに設置する押し入れ用避難箱に関するものである。
【背景技術】
【０００２】  今までも特別な建物には避難用シェルター等はある。
【考案の開示】
【考案が解決しようとする課題】
【０００３】  シェルター等は中々一般家庭に全部作る事は、家の広さ等から考えると設置出来ない。
【課題を解決するための手段】
【０００４】  上記の問題点を解決する為に、本考案が提供する押し入れ用避難箱は、押し入れの下段に丁度設置できる大きさの軸組み構造箱であって、各軸を鋼材等の金属材で構成されていることを特徴とするものである。
【考案の効果】
【０００５】  本考案の押し入れ用避難箱は押し入れのサイズに合せても組み立てられる。
【考案の実施するための最良の形態】
【０００６】  図１は、押し入れに設置した状態を示す実施例の押し入れ用避難用シェルターの正面図、図２は、図１の押入れ避難シェルターの斜視図である。
図において、Ｓはシェルターであって、押し入れの下段に丁度の設置できる大きさで、形状は横長の長方体である。
鋼製のアングル材２を軸として格子状に組立てた軸組構造となっている。押し入れ開口部の中央のアングル材２ａは、押し入れの中央部にくるように配置されている。避難時にシェルターＳに入り易くするためである。
【図面の簡単な説明】
【図１】  押し入れに設置した状態のシェルターの正面図
【図２】  押し入れに設置した状態のシェルターの斜視図
【符号の説明】
Ｓ    シェルター
２    アングル材
２ａ  中央アングル材
【図１】
0003126506.tif 000003
【図２】
0003126506.tif 000004
【手続補正書】
【提出日】平成18年6月20日(2006.6.20)
【手続補正１】
【補正対象書類名】実用新案登録請求の範囲
【補正対象項目名】全文
【補正方法】変更
【補正の内容】
【実用新案登録請求の範囲】
【請求項１】
押入れの下段に丁度設置出来る大きさを有し、かつ鋼製のアングル材を軸として、格子状に組み立てた構造となっていることを特徴とする押し入れ用避難箱。
(57)【要約】      （修正有）【課題】お葬式（通夜並びに告別式）の受付に於いて、受付の担当者が不慣れで１〜２冊の芳名帳の前に参列者の長い列が出来て混雑し、記帳漏れ、香典帳の記入漏れがおこり、又香典等に対するお返しの供養品の渡し忘れが発生することを防止する。 【解決手段】セパレートタイプのご芳名カードを受付に数多く並べる事により、記帳スペースを有効に活用し、受付の混雑を緩和します。又参列者の記帳漏れも無くす。１セット４枚複写式にする事により、芳名帳・香典帳・供養引換券に同時に記入出来ます。このシステムの導入により、受付の混雑・参列者の記帳漏れ・香典帳の記入漏れ・香典等に対するお返しの供養品の渡し忘れ等の問題を解決する。 【選択図】図１
0003126503.tif 000002
【実用新案登録請求の範囲】
【請求項１】
お葬式（通夜並びに告別式）の受付に於いて、混雑の緩和と記帳漏れを防止するシステムを確立する、セパレートタイプのご芳名カード（芳名受付帳）
【請求項２】
ご芳名カードは１セット４枚複写式になっており、１枚目受付控・２枚目供養引換券・３枚目香典帳・４枚目芳名録になっています。これにより、芳名帳への記帳漏れ・香典帳への記入漏れ、香典等に対するお返しの供養品の渡し忘れを防止します。
-１-
【考案の詳細な説明】
【技術分野】
【０００１】
お葬式（通夜並びに告別式）の受付で、このご芳名カードを使う事により、混雑の緩和・芳名録の記帳漏れや供養品の渡し忘れ等を無くします。
【背景技術】
【０００２】
従来お葬式の受付は、近所の人や知人、会社の同僚等、受付業務が不慣れな方が担当される事が多く、１〜２冊の芳名帳の前に参列者の長い列が出来て受付が混雑していました。その為芳名帳への記帳漏れや香典帳への記入漏れ、引いては香典等に対する供養品の渡し忘がありました。そこで従来の大きな芳名帳から１セットごとに独立したセパレートタイプのご芳名カードを活用する事によりこれらの問題を全て解決します。
【考案の開示】
【考案の効果】
【０００３】
このご芳名カードは１セット４枚複写式になっており、１枚目受付控・２枚目供養引換券・３枚目香典帳・４枚目芳名録になっています。つまり、複写式で４枚同時に記入する為、何度も記入又は転記する手間を省き、同時に記入の漏れや誤りを無くし、前述の問題を全て解決する事が出来ます。
【考案が解決しようとする課題】
【０００４】
お葬式（通夜並びに告別式）の受付が混雑するシステムの問題。
参列者の芳名帳への記帳漏れの問題。
香典帳への記入漏れの問題。
香典等に対するお返しの供養品の渡し忘れが発生する問題。
【課題を解決するための手段】
【０００５】
セパレートタイプのご芳名カードを受付に数多く並べる事により、記帳スペースを有効に活用し受付の混雑を緩和します。又同時に記帳漏れ等を無くします。
-２-
【考案を実施するための最良の形態】
【０００６】
お葬式（通夜並びに告別式）の受付で、参列者に数箇所に並べたセパレートタイプのご芳名カードに記入してもらう事により混雑をなくします。
香典を頂いた方には、その場で２枚目の供養引換券を渡し、退場される際に引換に香典等に対するお返しの供養品を渡します。
式後、３枚目は香典帳として、４枚目は芳名録としてセットし保存します。
【実施例】
【０００７】
お葬式（通夜並びに告別式）の受付で、ご芳名カードに記入してもらいます。
香典を頂いた方には２枚目の供養引換券を渡します。そして退場される際に、供養引換券と引換に香典等に対するお返しの供養品を渡します。４枚セットの１枚目と２枚目は右下に２枚目区分け用切り目を入れてあるので、不慣れな受付の方でも容易に上２枚を区分けする事が出来ます。（図１・図２参照）
供養品の種類を記入する欄も設けていますので、香典の金額や喪主との関係等による供養品の選択が出来るようになっています。
受付で名刺を差し出された方は４枚目に名刺挟み込み専用切り口を設けていますので、同等の対応が可能です。（図４参照）
式後、３枚目は香典帳として、４枚目は芳名録としてセットし保存します。また２枚目と３枚目を照合すれば、万一のお返しの供養品の渡し忘れも直ぐに発見する事が出来ます。
【図面の簡単な説明】
【０００８】
【図１】ご芳名カード  １枚目  受付控
【図２】ご芳名カード  ２枚目  供養引換券
【図３】ご芳名カード  ３枚目  香典帳
【図４】ご芳名カード  ４枚目  芳名録
【図１】
0003126503.tif 000003
【図２】
0003126503.tif 000004
【図３】
0003126503.tif 000005
【図４】
0003126503.tif 000006
【手続補正書】
【提出日】平成18年4月10日(2006.4.10)
【手続補正１】
【補正対象書類名】実用新案登録請求の範囲
【補正対象項目名】全文
【補正方法】変更
【補正の内容】
【実用新案登録請求の範囲】
【請求項１】
お葬式の受付で使う、芳名受付帳と香典帳をセットにした、Ｂ６サイズ複写伝票型のご芳名カード
【請求項２】
ご芳名カードは１セット４枚複写式で、１枚目受付控・２枚目供養引換券・３枚目香典帳・４枚目芳名録になっていて、これにより芳名帳への記帳漏れ・香典帳への記入漏れ、香典等に対するお返しの供養品の渡し忘れを防止する構造になっている。
【手続補正書】
【提出日】平成18年7月24日(2006.7.24)
【手続補正１】
【補正対象書類名】実用新案登録請求の範囲
【補正対象項目名】全文
【補正方法】変更
【補正の内容】
【実用新案登録請求の範囲】
【請求項１】
お葬式の受付で使う、芳名受付帳と香典帳をセットにした、Ｂ６サイズ複写伝票型のご芳名カード
【請求項２】
１枚目受付控・２枚目供養引換券・３枚目香典帳・４枚目芳名録のＢ６サイズ４枚複写式伝票という構造を有するご芳名カード。
(57)【要約】【課題】本考案は、旋律演奏に欠かせない、各指間における運指のスムーズなコントロールを会得するための鍵盤楽器練習用補助器具を提供する。【解決手段】ピアノ等の鍵盤を有する楽器を弾く際、弾く手の指先を沿わせて使用する鍵盤楽器練習用補助器具１において、少なくとも該鍵盤打鍵部３の鍵盤に当たる面を曲面とする。【選択図】図１
0003126504.tif 000002
【実用新案登録請求の範囲】
【請求項１】
ピアノ等の鍵盤を有する楽器を弾く際、弾く手の指先を沿わせて使用する鍵盤楽器練習用補助器具１において、少なくとも該鍵盤打鍵部３の鍵盤に当たる面を曲面とすることを特徴とする鍵盤楽器練習用補助器具１。
【考案の詳細な説明】
【技術分野】
【０００１】  ピアノやオルガン等の楽器を初めて弾く人にとって、特に和音の打鍵や各指のコントロールが大変難しく、これが障害となってピアノ演奏の習得を断念する場合が多かった。本考案は、その習得を助ける鍵盤楽器練習用補助器具に関するものである。
【背景技術】
【０００２】  幼児等がピアノを初めて弾く場合、その習得を助ける鍵盤楽器練習用補助器具が公知である。例えば、登録実用新案第３１０７７１６号がある。【０００３】
【実用新案文献１】
登録実用新案第３１０７７１６号公報
【考案の開示】
【考案が解決しようとする課題】
【０００４】  しかし、そのような方法で実際にピアノを弾いてみると、指の間隔を適切にあけて、和音の打鍵を習得することはできるが、旋律演奏に欠かせない各指間で、運指のスムーズなコントロールの訓練ができなかった。【０００５】  そこで、この考案の鍵盤楽器練習用補助器具は、そのような従来の器具が有する問題点を解決するために考えられたものである。
【課題を解決するための手段】
【０００６】  ピアノ等の鍵盤を有する楽器を弾く際、弾く手の指先を沿わせて使用する鍵盤楽器練習用補助器具１において、少なくとも該鍵盤打鍵部３の鍵盤に当たる部分を概半球状とすることを特徴とする鍵盤楽器練習用補助器具１。
【考案の効果】
【０００７】  この考案の器具によれば、初心者が使用しても確実かつ簡便に、旋律演奏に欠かせない各指間における、運指のスムーズなコントロールの訓練をすることができる。
【考案を実施するための最良の形態】
【０００８】  図１に示すように、鍵盤打鍵部３と該鍵盤打鍵部３を保持する保持部２とを含む鍵盤楽器練習用補助器具において、該器具の上に弾く手の指を軽く乗せてつかむ。そして、該器具を用いてピアノの鍵盤を打鍵する。該鍵盤打鍵部３は２本以上の棒からなり、それらは概同じ長さとなっている。鍵盤をたたく側は、概半球状となっている。２本以上の棒からなる鍵盤打鍵部３は、重音あるいは和音が弾けるような間隔で配設される。保持部２と打鍵部３は通常接着剤で合接される。
【実施例】
【０００９】  本考案の鍵盤楽器練習用補助器具は木製であり、保持部は縦１５ｍｍ、横８５ｍｍ、厚さ１０ｍｍ、打鍵部は直径１０ｍｍ、長さ４２ｍｍの丸棒である。図１に記すように、鍵盤をたたく側は概半球状（半径１０ｍｍ）となっているため、半球状のコルク、発泡スチロール、又はゴム等をその木製の丸棒に接着剤で貼り付ける。又は、該半球状の中央に穴をあけ、丸棒を挿入しても良い。その丸棒を概半球状に削っても良く、鍵盤をたたく側が概半球状になっていれば、本考案の目的は達せられる。該器具の寸法や打鍵部の数はピアノを習得しようとする人の手の大きさ、目的に応じて決められる。【００１０】  図２の鍵盤楽器練習用補助器具では、打鍵部３が概球状となっている。指を鍵盤と接する部分の反対側に沿わせる。該打鍵部３は動き易いので、それを防ぐために、図３に示すリング（内のり１３ｍｍ）あるいは図４に示す補助板５（厚さ４ｍｍ）を使用する。該補助板５には、打鍵部３が多数挿入できるよう、穴が多数開いている。その穴の位置は、打鍵する際、親指から小指までの指の長さが異なるため、それに合わせて決める。補助板５の材質は、厚紙、木、金属、又はプラスチック等どのようなものであっても良い。【００１１】  図５に示すように、補助板５の厚みを３５ｍｍと大きくしても良い。その場合、図５に示すような打鍵部３が用いられる。【００１２】  図６に示すように、板状の打鍵部３において、鍵盤の長手方向に対して概直角となる向きで、鍵盤に当たる面に曲面を持たせても良い。打鍵部３の側部を手で持つことで、保持部を省略した使用が可能である。この器具は、特にピアノのグリッサンド奏法の習得に役立つ。【００１３】  本器具を用いてピアノを実際に弾くと、鍵盤に触れる部分や指が触れる部分が概球状となっているため、初心者であっても、打鍵時に鍵盤に触れる指先の力点や作用点のバランス感覚を体得し易い。これにより、打鍵時に必要な手指、手首、肘、肩などの関節の自由さを獲得でき、旋律演奏に欠かせない各指間における、運指のスムーズなコントロールを習得し、指先の敏捷な反射運動を促進することができる。【００１４】  それらによって、演奏上不可欠なレガート、スタッカートなどのアーテイキュレーション、自然な音量増減、適切なテンポの保持など上体から指先へと働く演奏運動のコントロールを会得することが可能となる。
【産業上の利用可能性】
【００１５】  本器具を用いると、初心者であっても、旋律演奏に欠かせない各指間における、運指のスムーズなコントロールの訓練をすることができる。したがって、鍵盤楽器習得の意欲を高め、今後の音楽教育に資すること大である。
【図面の簡単な説明】
【００１６】
【図１】この考案の実施の一形態を示した図である。
【図２】この考案の実施の一形態を示した図である。
【図３】この考案の実施の一形態を示した図である。
【図４】この考案の実施の一形態を示した図である。
【図５】この考案の実施の一形態を示した図である。
【図６】この考案の実施の一形態を示した図である。
【符号の説明】
【００１７】  １  鍵盤楽器練習用補助器具
２  保持部
３  打鍵部
４  鍵盤
５  補助板
【図１】
0003126504.tif 000003
【図２】
0003126504.tif 000004
【図３】
0003126504.tif 000005
【図４】
0003126504.tif 000006
【図５】
0003126504.tif 000007
【図６】
0003126504.tif 000008
(57)【要約】      （修正有）【課題】人体（足）の大小にかかわる問題を解決する。【解決手段】指圧必要個所（ツボ）は人それぞれ若干の違いがあるが、当機具は足の若干の移動により、必要個所（ツボ）に命中させることができ、指圧時の足の固定にはタオル等を置くことにより調整が可能で、足の大小にかかわらず適応可能である。【選択図】図１
0003126502.tif 000002
【実用新案登録請求の範囲】
【請求項１】
人体の足部に於ける経路上の経穴（ツボ）足三里を、目力で機械的作用により、適度に指圧可能な足三里専用指圧機具であります。この機具により人体の足のむくみ、こぶら返り、しびれ等を取除くと共に、胃腸等五臓（消化器系統）にも好影響を与えることができる。  人体の手による指圧では限度があり、長期的効果が得られないので足三里（ツボ）指圧専用機具として考案開発しました。
【考案の詳細な説明】
【技術分野】
【０００１】  本考案は人体の健康保持、特に人体の足部の経路上の経穴（ツボ）を強力適度に指圧する機具に関する。
【背景技術】
【０００２】  現存する人体のマッサージ機具は、全身又は一部を軽く振動することによりマッサージするもので、人体経路上の経穴（ツボ）を集中的に指圧するものではない。当考案は経穴（ツボ）を機械的に極部を強力に指圧することができる機具として考案いたしました。（図１）
【考案の開示】
【考案が解決しようとする課題】
【０００３】  現存する身体マッサージ機は全身の振動によるもので現代医学、特に予防医学的にも余り期待できない。当機具は人体を走る経路上の経穴（ツボ）足三里を直接強力、適度に刺激することができ人体の健康促進、健康維持に大いに役立てることができる。  解決する課題最大のポイントは、足の疲れを取り除けること。足のしびれ・こぶら返り・だるさを完全に取除き、五臓（胃腸に拘る消化器系統）にも好影響を与えることができる。
【課題を解決するための手段】
【０００４】  指圧の必要個所（ツボ）は人それぞれ若干違いがあるが、当機具は適切に移動可能なため足の膝から下の指圧が可能で、タオル等で調整すれば足の大小にかかわらず適応が可能である。
【考案の効果】
【０００５】  よって本指圧機具により足最大のツボ足三里を集中的に指圧でき、目力で指圧力を調整可能なため、ほど良く指圧ができ、足のむくみ・しびれ・こむら返り・五臓にまでも好影響を与える。又、足のしびれ・むくみによる不眼も少なからず解決する。
【考案を実施するための最良の形態】
【０００６】  本考案による指圧機具は、図１に示すように簡素な指圧機具で、テコの利用により突起（合成ゴム）にて指圧する単純な機具であり、素材はプラスチック又は鋼製パイプが望ましく、サイズもタオル等で調整可能で、体格の大小に拘らず使用できる特徴をもっている。
【図面の簡単な説明】
【０００７】
【図１】本指圧機具の縦横断面図である。
【図２】開発一号機具である。（木製品）
【符号の説明】
【０００８】  １．足乗せ底板  ２．テコアーム支持盤  ３．指圧アーム  ４．指圧突起  ５．トッテ  ６．テコアーム固定ネジ  ７．調整タオル  ８．足三里位置図
【図１】
0003126502.tif 000003
【図２】
0003126502.tif 000004
【手続補正書】
【提出日】平成18年4月24日(2006.4.24)
【手続補正１】
【補正対象書類名】実用新案登録請求の範囲
【補正対象項目名】請求項１
【補正方法】変更
【補正の内容】
【請求項１】
人体の足部に於ける経路上の経穴（ツボ）足三里を目力で機械的作用により適度に指圧可能な手動式足三里専用指圧機具であります。
型状は平板（木製１５ｃｍ×４０ｃｍ×２ｃｍ）に鋼製テコ支持盤を取付け丸鋼パイプ（経２０〜２５ｍｍ）のテコを上下に移動させる。
テコの先端指圧部には、合成ゴム指先状のものを取付ける。テコを上下移動させることにより患部を強力に刺激することができる。
鋼製支持盤は薄板であり、又テコは丸鋼パイプを曲線にしたもので弾力性に富み強力ななかにも優しい指圧ができる。
人間の手指による指圧では限度があり、長期的且つ決定的な効果は得られず手動式指圧専用機具を考案しました。
【手続補正２】
【補正対象書類名】明細書
【補正対象項目名】０００２
【補正方法】変更
【補正の内容】
【０００２】  私は足のむくみ・しびれ・こぶら返りに長い間苦しんできました。そのため長期間療院の人によるマッサージを続けてきました。しかし、金銭的にも効果的にも限度があることに気付き、指圧機具を自分で作成してみました。効果は思っていたより抜群で、一回の足三里（ツボ）の指圧で、数ヶ月は足のだるさを、完全に忘れるほどの効果がありました。又、友人知人にも試してもらったところ、大変な好評を得て、感謝されました。
私は、この思恵を多くの人に与えたく、実用新案の申請をすることにしました。
【手続補正書】
【提出日】平成18年8月1日(2006.8.1)
【手続補正１】
【補正対象書類名】実用新案登録請求の範囲
【補正対象項目名】全文
【補正方法】変更
【補正の内容】
【実用新案登録請求の範囲】
【請求項１】
足乗せ板（１）に鋼製支持盤（２）を二枚両側に取り付けその頂上部に指圧テコアーム（３）をテコアーム固定ネジ（６）で取り付け、テコアーム（３）の横軸穴は若干の余裕をもたせ上下左右に微動できる状態にし、テコアーム（３）はバネ性を若干もたせるため丸鋼を曲線状にしたものを使用し、テコアーム（３）の先端部に取り付けられている指圧突起（４）は、人体の指の感覚に似た合成ゴムを使用、足のいずれのサイズにも調整タオル（７）にて適合可能なテコの仕組みを取り入れた手動式足三里専用指圧器具。
(57)【要約】【課題】本考案は蓋開閉作業時における鍵穴との不適合、或いは用具の荷重性、更にはその構造による作用への安全性等の問題に一線を画し、蓋開閉による検針作業等に赴く要員が簡便に持ち歩き、且つ各種の蓋の鍵穴に自在に対応し、蓋の開閉に関して容易なる作業性を解決しようとするものである。【解決手段】本考案は蓋開閉時においては、本取っ手の握部は楕円形の掴み易い構造にして、且つ作用棒の一方にあっては、楕円形の曲周部分を設け併せた鉤状をもって、その先端は鍛造による引っ掛け機能を有する四角錐形の爪が蓋開閉時その機能を果たし、鍵穴に自在に適合し、且つ対応出来得る蓋開閉取っ手である。【選択図】図２
0003126521.tif 000002
【実用新案登録請求の範囲】
【請求項１】
本取っ手の握部は楕円形の掴み易い構造とし、更には作用棒の一方においては楕円形の曲周部分に鉤状形を設け、その先端にある鍛造による四角錐の形状を有する引っ掛け爪が蓋開時、その機能を果たし、鍵穴に自在に適合し、且つ対応出来得る蓋開閉取っ手である。
【考案の詳細な説明】
【技術分野】
【０００１】本考案は上下水道関連の端末施設の各種小型蓋の開閉を行う取っ手に関する。
【背景技術】
【０００２】従来より、この分野における様々なる蓋開閉用具は存在したが、鍵穴等の適合性や簡便なる機能性、且つ携帯性に難点が見られた。
【考案の開示】
【考案が解決しようとする課題】
【０００３】蓋開閉による検針作業に赴く要員が簡便に持ち歩き、且つ各種の蓋、鍵穴に自在に対応し蓋の開閉に関して容易に作業性を解決しようとするものである。
【課題を解決するための手段】
【０００４】本考案は、蓋開閉取っ手の先端の曲周部位に鉤状の引っ掛け機能を持たせ、各種蓋の鍵穴に適合出来得る構造とし、極めて軽く携帯性、移動性に優れ、且つ容易に蓋の開閉作業を解決するものである。
【考案の効果】
【０００５】本考案の効果については前述したように、主に上下水道端末施設としての各住宅及び各家庭に各種に存在する蓋等を開閉する時、その蓋の鍵穴に対応した適合性に富み、その機能性によって安全、且つ容易に作業を行い社会に貢献するものである。
【考案を実施するための最良の形態】
【０００６】小型蓋開閉取っ手本体握部に片手を挿入して、これを握り、一方の先端に設けられた鉤状の先を小型蓋の鍵穴に差し入れて、その適合性を確認したのち、応分の力を加えて蓋を持ち上げ、或いは脱着させるなどの開閉作業が自在に可能となるものである。
【図面の簡単な説明】
【０００７】
【図１】本考案の小型蓋開閉取っ手の正面図である。
【図２】本考案の小型蓋開閉取っ手の平面図である。
【符号の説明】
【０００８】１、握部
２、作用棒
３、引っ掛け部
４、爪
【図１】
0003126521.tif 000003
【図２】
0003126521.tif 000004
【手続補正書】
【提出日】平成18年7月31日(2006.7.31)
【手続補正１】
【補正対象書類名】実用新案登録請求の範囲
【補正対象項目名】全文
【補正方法】変更
【補正の内容】
【実用新案登録請求の範囲】
【請求項１】
本取っ手の握部は楕円形の掴み易い構造とし、更には作用棒の一方に在っては湾曲した曲周部分を設け、且つその先端には加圧鍛造を施したる四角錐の形を有する引っ掛け爪をも併せもたせて、鉤状を形成し、蓋開閉時においてはその引っ掛け爪が鍵穴に自在に適合し、その機能を果たし、安全、且つ応分の作業性に対応出来得る蓋開閉取っ手である。
(57)【要約】      （修正有）【課題】視力低下予防や視力向上を行うトレーニング器具を提供する。【解決手段】硬貨に換えて本考案した箱体を吊り下げる。この箱体の表面にマーク（ランドルト環や記号や文字等）を記してどの程度ぼやけて見えているかよく判るようにした。また箱体の各面に大きさの異なるマークを記しているので視力に合った大きさのマークを選択してトレーニングが出来る事と２箇所で箱体を吊り下げ箱体を前後に揺らしても箱体の面が常に一方向を向くように工夫した。【選択図】図３
0003126524.tif 000002
【実用新案登録請求の範囲】
【請求項１】
吊り下げる箱体の表面にマーク（ランドルト環や記号や文字等）を記する。
【請求項２】
記するマークは箱体の各表面で大きさが異なる。
【請求項３】
箱体は２箇所で支持して吊り下げる。
【考案の詳細な説明】
【技術分野】
【０００１】  本考案は視力低下予防や視力向上を行うトレーニング器具に関する。
【背景技術】
【０００２】  視力低下は眼の調節を行う筋肉の衰えが原因と言われており、これに有効なトレーニングに近距離と遠距離の物を交互に見る方法が知られている。以前から知られているトレーニングに「硬貨等を天井より糸で吊り前後へ揺らしそれを注視する方法」がありました。
【考案の開示】
【考案が解決しようとする課題】
【０００３】  上記の方法では訓練者自身は硬貨等が近くに振れた時にしっかり見ているか、また遠く振れた時はどの程度ぼやけて見えているのかよく判りませんでした。本考案では上記問題を解決する事を目的とするものである。
【課題を解決するための手段】
【０００４】  本考案では上記課題を解決するために硬貨に換えて考案の箱体を天井より糸で吊り前後へ揺らす。これにより箱体の表面に記したマーク（ランドルト環や記号や文字等）を注視することでどの程度ぼやけて見えているかよく認識できるようにした。【０００５】  また箱体が遠くへ振れた時のマークがぼやける位でトレーニングを行うのが効果的なので大きさの異なるマークを各表面に配置し視力に合ったマークでトレーニングが行えるように吊り下げ冶具と箱体の間を回転させて見るマークの大きさを変更できるようにした。【０００６】  この考案では吊り下げられた箱体を前後に揺らした時、箱体が回転しないで注視する面が常に一方向を向いて振り子運動する事が必要なので２箇所で支持して吊り下げる事で可能になった。
【考案の効果】
【０００７】  箱体が近くへ揺れた時はしっかり見ているかが認識でき、遠くへ振れた時は箱体の表面のマークがどの程度ぼやけて見えているのか認識できる。もっとはっきり見えるように凝視することで大きなトレーニング効果が生まれる。
【図面の簡単な説明】
【０００８】
【図１】器具の正面図である。
【図２】器具の側面図である。
【図３】器具の立面図である。
【符号の説明】
【０００９】  １  箱体を吊り下げるの糸の両端を留める場所（天井等）。
２  箱体を吊り下げる糸。
３  ２箇所で吊り下げる冶具。冶具と箱体の間を回転させ見る面を変更できる。
４  マークを記した箱体の表面。
５  糸を結ぶ穴。
【図１】
0003126524.tif 000003
【図２】
0003126524.tif 000004
【図３】
0003126524.tif 000005
【手続補正書】
【提出日】平成18年8月18日(2006.8.18)
【手続補正１】
【補正対象書類名】実用新案登録請求の範囲
【補正対象項目名】全文
【補正方法】変更
【補正の内容】
【実用新案登録請求の範囲】
【請求項１】
マークが記された表面を有する箱体及び吊り下げ治具から成り、該箱体と吊り下げ治具との間が回転可能である、吊り下げ式視力トレーニング器具。
【請求項２】
大きさの異なるマークが各表面に配置されていることを特徴とする、請求項１記載の吊り下げ式視力トレーニング器具。
【請求項３】
箱体が２箇所で支持して吊り下げられることを特徴とする、請求項１又は２記載の吊り下げ式視力トレーニング器具。
【手続補正２】
【補正対象書類名】明細書
【補正対象項目名】０００４
【補正方法】変更
【補正の内容】
【０００４】
本考案では上記課題を解決するために硬貨に換えて考案の箱体を天井より糸で吊り前後へ揺らす。これにより箱体の表面に記したマーク（ランドルト環や記号や文字等）を注視することでどの程度ぼやけて見えているかよく認識できるようにした。即ち、本考案は、マークが記された表面を有する箱体及び吊り下げ治具から成り、該箱体と吊り下げ治具との間が回転可能である、吊り下げ式視力トレーニング器具に係るものである。
(57)【要約】 【課題】本考案は取って付きの輪を形成するプラスチック等適宣素材による本体枠に糞を回収する袋と尿を吸収するパット一体型の袋を装着し犬等の糞尿を回収する。【解決手段】本考案は回収器本体１に尿の吸収と糞の回収を兼ね備えたパット一体型回収袋２を装着し、犬等が糞尿する股下にあて地上に落ちる前に受けとめ回収する事により、糞尿の処理を簡易に行うことが出来る。【選択図】      図３
0003126528.tif 000002
【実用新案登録請求の範囲】
【請求項１】
プラスチック等の輪を形成する枠に糞を回収する回収袋と尿を吸収するパットを一体化させた糞尿回収袋を装着し個体である糞は勿論のこと液体である尿の回収をも可能にしたペットの糞尿回収器。
【考案の詳細な説明】
【技術分野】
【０００１】
本考案は、屋外でのペット糞尿取り器に関するものである。                        
【背景技術】
【０００２】
犬等散歩時の飼い主の糞尿回収においては犬等が糞排尿したままの状態で放置したり水を入れたペットボトルを携帯しその水を用いて尿そのものを洗い流していた。しかし水で流した後も臭いが残り又別の犬等が同じ場所に尿をする事が多かった。これによって地域の住民は家の前に糞や尿をされ不快な気分になっていた。
【考案の開示】
【考案が解決しようとする課題】
【０００３】
ペットの増加に伴い屋外での糞尿公害も深刻視されペットを飼う側のマナー責任も問われるようになった。また糞尿を放置しておくことによって臭害、植物が枯れるなどの苦情につながり地域の人間関係においても影響を及ぼしている。犬等の糞排尿時に地面に落ちる前に回収できれば臭いも残らず問題解決にあたるものである。
【課題を解決するための手段】
【０００４】
本考案の糞尿回収器はプラスチック等の取っ手の延長に輪を形成する枠を設けその枠  に片面防水処理の施してある糞を回収する袋と、尿を吸収するパットとの一体型の糞尿回収袋を装着し犬等が糞尿をすると同時にパットが尿を吸収し、また糞を直接回収することにより地面を汚すことが無い。
【考案の効果】
【０００５】
上述のように、本考案のペット糞尿取り器は地面に糞尿が落ちる前に簡易に回収出来、地面を汚すこともなく、排尿後を水で洗い流す事もなく糞も拭き取る必要も無いため糞尿後の掃除する手間を省くことが出来る。これにより地域住民の迷惑にもならず楽しく散歩が出来き良いコミニュケーション、さらに街の美化につながる。
【考案を実施するための最良の形態】
【０００６】
糞尿回収器の先の輪を形成している部分に糞尿を回収する尿を吸収するパット一体型の回収袋を装着し、犬等が糞尿を催した際、直接股に当て糞尿を回収する。糞尿回収後パットを回収器から外し自宅に持ち帰り処分する。                                      
【実施例】
【０００７】
以下添付図面に従って一実施例を説明する。プラスチック等適宣素材にて形成された回収器本体１。糞尿を回収するための尿を吸収するパット一体型回収袋２を回収袋２についている装着テープ３によって回収器本体１に装着する。
【０００８】
犬等が糞排尿を催した際パット一体型回収袋２を装着した回収器本体１を犬等の股下にあて、回収袋のパットが尿を吸収し糞を回収する。
【０００９】
糞尿回収後は回収袋２についているラベル４を引っ張り回収器本体１から外し汚物として処理する。
【図面の簡単な説明】
【００１０】
【図１】本考案の糞尿取り器の本体正面図である。
【図２】本考案の糞尿取り器の回収袋にあたるパットの回収袋の背面図である。
【図３】本考案の糞尿取り器の使用時回収袋を装着した合体図の正面図である。
【図４】本考案の糞尿取り器の使用時回収袋を装着した合体図の斜視図である。
【図５】本考案の糞尿取り器の糞尿取り器の本体の側面図である。
【図６】本考案の糞尿取り器の回収袋の正面図である。
【図７】本考案の糞尿取り器の使用状態を示す模式図である。
【符号の説明】
【００１１】
１回収器本体
２パット一体型回収袋  
３装着テープ
４ラベル
【図１】
0003126528.tif 000003
【図２】
0003126528.tif 000004
【図３】
0003126528.tif 000005
【図４】
0003126528.tif 000006
【図５】
0003126528.tif 000007
【図６】
0003126528.tif 000008
【図７】
0003126528.tif 000009
【手続補正書】
【提出日】平成18年8月24日(2006.8.24)
【手続補正１】
【補正対象書類名】実用新案登録請求の範囲
【補正対象項目名】全文
【補正方法】変更
【補正の内容】
【実用新案登録請求の範囲】
【請求項１】
輪状の枠体の一端に取っ手を設けた糞尿取り器本体と、該糞尿取り器本体の輪状の枠体の一方の面にそって片面防水処理を施した液体を吸収するパットとの一体型の糞尿回収袋を装着してなるペットの糞尿回収器。
【手続補正２】
【補正対象書類名】明細書
【補正対象項目名】０００３
【補正方法】変更
【補正の内容】
【０００３】
ペットの増加に伴い屋外での糞尿公害も深刻視されペットを飼う側のマナー責任も問われるようになった。また糞尿を放置しておくことによって臭害、植物が枯れるなどの苦情につながり地域の人間関係においても影響を及ぼしている。犬等の糞排尿時に地面に落ちる前に回収できれば臭いも残らず問題を解決することが出来る。本願は固体である糞は勿論のこと液体である尿の回収をも可能にするものである。
(57)【要約】【課題】製造が容易でありながら五本指靴下と同様の効果を奏する五本指ストッキングを提供する。【解決手段】同一の糸で連続的に編成された胴部１１と指先部１２を有し、該指先部１２は該胴部１１よりも粗く編成され、且つ、ロックミシンにより裁断・縫製されることにより該指先部１２において五つの指袋１４が形成されている五本指ストッキング１０。編成時に指先部１２に裁断箇所の目印線１３を入れておき、その後、五本の指袋をロックミシンで一度に裁断・縫製して形成するため、指袋１４をそれぞれ袋編みして形成するよりも製造が容易である。そのため、製造にかかる労力と時間を減らすことができ、その結果、比較的低コストで製造することができる。【選択図】図１
0003126562.tif 000002
【実用新案登録請求の範囲】
【請求項１】
同一の糸で連続的に編成された胴部と指先部を有し、該指先部は該胴部よりも粗く編成され、且つ、ロックミシンにより裁断・縫製されることにより該指先部において五つの指袋が形成されていることを特徴とする五本指ストッキング。
【請求項２】
膝下までのハイソックスである請求項１に記載の五本指ストッキング。
【請求項３】
くるぶし上あたりまでのショート丈である請求項１に記載の五本指ストッキング。
【請求項４】
履き口にレースが取り付けられている請求項１〜３のいずれかに記載の五本指ストッキング。
【考案の詳細な説明】
【技術分野】
【０００１】
本考案は、足に着用するストッキングに関する。
【背景技術】
【０００２】
近年、五本の足指を、手袋と同様に、それぞれ指袋に入れることのできる五本指靴下の人気が高い。その理由として、装着すると足指どおしが離れるため、通常の靴下よりも通気性がよく、むくみや汗による蒸れなど足先の不快感を解消できること、靴の中でも足の指が自由に動くため、ふんばりがきいて歩行がらくになること、などが挙げられる。
【０００３】
パンプスのような履き口の浅い靴の着用者は通常、ナイロン素材で伸縮性のあるストッキングを着用することが多く、そのようなストッキングにおいても上記のような効果を得るために、五本指のストッキングもすでに考案されている（特許文献１）。しかしながら、その製造工程において、五本の指袋は、靴下や手袋の製造工程のように指袋のそれぞれを袋編みすることで形成されていることが多く、製造の容易さやコストの点で検討の余地があった。
【０００４】
【特許文献１】特開平8-199403公報
【考案の開示】
【考案が解決しようとする課題】
【０００５】
本考案が解決しようとする課題は、製造が容易でありながら五本指靴下と同様の効果を奏する五本指ストッキングを提供することである。
【課題を解決するための手段】
【０００６】
上記課題を解決するために成された本考案に係る五本指ストッキングは、同一の糸で連続的に編成された胴部と指先部を有し、該指先部は該胴部よりも粗く編成され、且つ、ロックミシンにより裁断・縫製されることにより該指先部において五つの指袋が形成されていることを特徴とする。
【考案の効果】
【０００７】
本考案に係る五本指ストッキングは、五本の指袋をロックミシンにより一度に裁断・縫製して形成するため、指袋をそれぞれ袋編みして形成するよりも製造が容易である。そのため、製造にかかる労力と時間を減らすことができ、その結果、低コストで製造することができる。また、指先部が胴部よりも粗く編成されているため、指先部の通気性が良好であり、蒸れなど足先の不快感をより良く解消することができる。
【考案を実施するための最良の形態】
【０００８】
本考案に係る五本指ストッキングは、その胴部の長さを調節することにより、ハイソックスタイプ（通常、全長45cm程度）やショート丈ソックス（同25cm程度）など、種々のサイズ展開が可能である。
【０００９】
履き口にレースを取り付けると、装飾性が高まるだけでなく、履き口が明確になるために履きやすく、また、脱いだ後はきれいにたたみやすくなる。更に、履き口のゴム装入部の幅を広げることができ、これにより足への食い込みを防いで良好な使用感を提供する。
【実施例】
【００１０】
以下、図面を用いて、本考案に係る五本指ストッキング１０の実施例を説明する。
【００１１】
図１は、本考案に係る五本指ストッキング１０の製造工程を示す図である。まず、胴部１１と指先部１２の身生地（ナイロン100%）を丸編み機械で円柱状に編み立てる。その際、指先部１２は胴部１１よりも粗いメッシュ編みにする(a)。そして、指先部１２には、後に指袋を形成するための裁断位置の目印となる４本の線１３を入れておく。
次に、ロックミシンでメッシュ編みした指先部を五本の指の形に裁断・縫製し、五つの指袋１４を形成する(b)。
【００１２】
さらに、履き口１５にレース１６を取り付け、染色した後で裏返して形を整えると完成する(c)。本実施例の着用状態を図２に示す。この例は、ショートソックスタイプの五本指ストッキングである。
【００１３】
本考案に係る五本指ストッキングは、胴部の長さを種々変化させることにより、図２のようなショートソックスタイプの他、図３に示すようなハイソックスタイプとすることもできる。もちろん、更に長いストッキングタイプや、パンストタイプのものに対しても、本考案は同様に適用することができる。
【図面の簡単な説明】
【００１４】
【図１】本考案に係る五本指ストッキングの一実施例の製造工程を示す図。
【図２】本考案に係る五本指ストッキングの一実施例の着用状態を示す図。
【図３】本考案に係る五本指ストッキングの別の実施例の着用状態を示す図。
【符号の説明】
【００１５】
１０…五本指ストッキング
１１…胴部
１２…指先部
１３…裁断箇所目印線
１４…指袋
１５…履き口
１６…レース
【図１】
0003126562.tif 000003
【図２】
0003126562.tif 000004
【図３】
0003126562.tif 000005